(57)【要約】【課題】  装置の前方だけでなく他の方向からも表示部の表示内容を視認することができる表示装置及び画像形成装置を提供する。【解決手段】  所定の画像を表示する液晶表示部４を備え、液晶表示部４に、液晶表示部４を第１の軸回りに回転可能に軸支する第１の軸部材１１１が設けられ且つ液晶表示部４を第１の軸と異なる第２の軸回りに回転可能に軸支する第２の軸部材１１２が設けられ、第１の軸部材１１１は第１の保持部材１２３により回転かつ着脱可能に保持され、第２の軸部材１１２は第２の保持部材１２４により回転かつ着脱可能に保持され、第１の軸部材１１１及び第２の軸部材１１２のうちの一方が取り外されるとともに、他方が回転軸として表示パネル１１が起立される。【選択図】      図３
2006003678.tif 000002
【特許請求の範囲】
【請求項１】
所定の画像を表示する表示部を備え、前記表示部に、前記表示部を第１の軸回りに回転可能に軸支する第１の軸部材が設けられ且つ前記表示部を前記第１の軸と異なる第２の軸回りに回転可能に軸支する第２の軸部材が設けられ、前記第１の軸部材は第１の保持部材により回転かつ着脱可能に保持され、前記第２の軸部材は第２の保持部材により回転かつ着脱可能に保持されることを特徴とする表示装置。
【請求項２】
前記第１及び第２の保持部材とが支持部材に固定され、前記支持部材に、前記支持部材を前記第１及び第２の軸と異なる第３の軸回りに回転可能に軸支する第３の軸部材が設けられ且つ前記支持部材を前記第１乃至第３の軸と異なる第４の軸回りに回転可能に軸支する第４の軸部材が設けられ、前記第３の軸部材は第３の保持部材により回転かつ着脱可能に保持され、前記第４の軸部材は第４の保持部材により回転かつ着脱可能に保持されることを特徴とする請求項１記載の表示装置。
【請求項３】
前記第１の軸部材が前記第１の保持部材から取り外されたことを検知する第１の検知手段と、前記第２の軸部材が前記第２の保持部材から取り外されたことを検知する第２の検知手段と、前記第３の軸部材が前記第３の保持部材から取り外されたことを検知する第３の検知手段と、前記第４の軸部材が前記第４の保持部材から取り外されたことを検知する第４の検知手段と、前記第１乃至第４の検知手段の検知結果に応じて前記表示部に表示する表示画像の向きを変更する表示制御手段とをさらに備えることを特徴とする請求項２記載の表示装置。
【請求項４】
前記表示部の表示画面の縦横比が異なる場合、前記表示画面の横方向の長さが縦方向の長さよりも長い第１の表示画像データと、前記表示画面の縦方向の長さが横方向の長さよりも長い第２の表示画像データとを記憶する記憶手段をさらに備え、前記表示制御手段は、第１の検知手段、第２の検知手段、第３の検知手段及び第４の検知手段の検知結果に応じて前記記憶手段から第１の表示画像データ及び第２の表示画像データのうちのいずれか一方を読み出し、前記表示部は、前記表示制御手段によって読み出された第１の表示画像及び第２の表示画像のうちのいずれか一方を表示することを特徴とする請求項３記載の表示装置。
【請求項５】
前記請求項１から４のいずれかに記載の表示装置を備え、前記表示装置は画像形成装置の操作画面を表示することを特徴とする画像形成装置。
【請求項６】
画像形成装置の本体上面の外周部に前記表示装置が設けられ、
前記第１乃至第４の軸部材は、前記表示部を９０度以上に回転可能に軸支することを特徴とする請求項５記載の画像形成装置。
【発明の詳細な説明】
【技術分野】
【０００１】
本発明は、表示部を備える表示装置及び画像形成装置に関するものである。
【背景技術】
【０００２】
従来、複写機、プリンタ装置、ファクシミリ装置及び印刷機等の画像形成装置の前部上面には、各種情報を表示するための表示部が設けられている。この表示部には、紙詰まり処理や機械各部の設定を行う際の手順が表示され、ユーザやサービスマンは、表示部に表示される表示画面を見ながら、紙詰まり処理や機械各部の設定を行う。
【０００３】
ところで、ユーザやサービスマンは、画像形成装置の背面において点検作業等を行う場合、表示部が装置の前部上面に設けられているので、表示画面を見ながら作業を行うことが困難である。
【０００４】
そこで、特許文献１に記載の発明では、画像形成装置の上面に突出して配置される軸を中心として表示部を３６０度回転可能に構成することで、装置の後方に表示画面を向けることができるようにしている。また、特許文献２に記載の発明では、画像形成装置の上面に配置される表示部、操作部及びスキャナ部を装置本体により自在に指示することで、装置の周囲３６０度のいずれの位置からでもユーザやサービスマンが操作することができるようにしている。
【特許文献１】特開平１０−３９６８３号公報
【特許文献２】特開平８−３１７１３２号公報
【発明の開示】
【発明が解決しようとする課題】
【０００５】
しかしながら、上記特許文献１に記載の発明では、回転する円内に操作部や他の部材を配置した場合、操作の邪魔になるため、回転する円内には何も配置することができず、装置が大型化してしまう虞がある。また、上記特許文献２に記載の発明では、表示部、操作部及びスキャナ部全体を回転させるため、装置が大掛かりなものとなってしまい、コストアップに繋がる虞がある。
【０００６】
本発明は、上記の問題を解決するためになされたもので、装置の前方だけでなく他の方向からも表示部の表示内容を視認することができる表示装置及び画像形成装置を提供することを目的とするものである。
【課題を解決するための手段】
【０００７】
本発明に係る表示装置は、所定の画像を表示する表示部を備え、前記表示部に、前記表示部を第１の軸回りに回転可能に軸支する第１の軸部材が設けられ且つ前記表示部を前記第１の軸と異なる第２の軸回りに回転可能に軸支する第２の軸部材が設けられ、前記第１の軸部材は第１の保持部材により回転かつ着脱可能に保持され、前記第２の軸部材は第２の保持部材により回転かつ着脱可能に保持される。
【０００８】
また、上記の表示装置において、前記第１及び第２の保持部材とが支持部材に固定され、前記支持部材に、前記支持部材を前記第１及び第２の軸と異なる第３の軸回りに回転可能に軸支する第３の軸部材が設けられ且つ前記支持部材を前記第１乃至第３の軸と異なる第４の軸回りに回転可能に軸支する第４の軸部材が設けられ、前記第３の軸部材は第３の保持部材により回転かつ着脱可能に保持され、前記第４の軸部材は第４の保持部材により回転かつ着脱可能に保持されることが好ましい。
【０００９】
また、上記の表示装置において、前記第１の軸部材が前記第１の保持部材から取り外されたことを検知する第１の検知手段と、前記第２の軸部材が前記第２の保持部材から取り外されたことを検知する第２の検知手段と、前記第３の軸部材が前記第３の保持部材から取り外されたことを検知する第３の検知手段と、前記第４の軸部材が前記第４の保持部材から取り外されたことを検知する第４の検知手段と、前記第１乃至第４の検知手段の検知結果に応じて前記表示部に表示する表示画像の向きを変更する表示制御手段とをさらに備えることが好ましい。
【００１０】
また、上記の表示装置において、前記表示部の表示画面の縦横比が異なる場合、前記表示画面の横方向の長さが縦方向の長さよりも長い第１の表示画像データと、前記表示画面の縦方向の長さが横方向の長さよりも長い第２の表示画像データとを記憶する記憶手段をさらに備え、前記表示制御手段は、第１の検知手段、第２の検知手段、第３の検知手段及び第４の検知手段の検知結果に応じて前記記憶手段から第１の表示画像データ及び第２の表示画像データのうちのいずれか一方を読み出し、前記表示部は、前記表示制御手段によって読み出された第１の表示画像及び第２の表示画像のうちのいずれか一方を表示することが好ましい。
【００１１】
本発明に係る画像形成装置は、前記請求項１から４のいずれかに記載の表示装置を備え、前記表示装置は画像形成装置の操作画面を表示する。
【００１２】
また、上記の画像形成装置において、画像形成装置の本体上面の外周部に前記表示装置が設けられ、前記第１乃至第４の軸部材は、前記表示部を９０度以上に回転可能に軸支することが好ましい。
【発明の効果】
【００１３】
請求項１に記載の発明によれば、所定の画像を表示する表示部に、表示部を第１の軸回りに回転可能に軸支する第１の軸部材が設けられ且つ表示部を第１の軸と異なる第２の軸回りに回転可能に軸支する第２の軸部材が設けられ、第１の軸部材は第１の保持部材により回転かつ着脱可能に保持され、第２の軸部材は第２の保持部材により回転かつ着脱可能に保持される。したがって、第１の軸部材及び第２の軸部材のうちの一方を取り外すとともに、他方を回転軸として表示部を起立させることによって、表示部を一方向からだけではなく他の方向からも視認可能となり、装置の前方だけでなく他の方向からも表示部の表示内容を視認することができる。
【００１４】
請求項２に記載の発明によれば、第１及び第２の保持部材とが支持部材に固定され、支持部材に、支持部材を第１及び第２の軸と異なる第３の軸回りに回転可能に軸支する第３の軸部材が設けられ且つ支持部材を第１乃至第３の軸と異なる第４の軸回りに回転可能に軸支する第４の軸部材が設けられ、第３の軸部材は第３の保持部材により回転かつ着脱可能に保持され、第４の軸部材は第４の保持部材により回転かつ着脱可能に保持される。したがって、第１の軸部材及び第２の軸部材のうちの一方を取り外すとともに、他方を回転軸として表示部を起立させ、第３の軸部材及び第４の軸部材のうちの一方を取り外すとともに、他方を回転軸として支持板を起立させることによって、表示部を４方向だけでなく装置の周囲のあらゆる方向から視認可能となり、装置の前方だけでなく他の方向からも表示部の表示内容を視認することができる。
【００１５】
請求項３に記載の発明によれば、第１の検知手段、第２の検知手段、第３の検知手段及び第４の検知手段の検知結果に応じて表示部に表示する表示画像の向きが変更されるので、表示画像が上下反転して表示されることなく、ユーザにとって視認可能な向きに表示することができる。
【００１６】
請求項４に記載の発明によれば、表示部を起立させたとき、表示部の表示画面の横方向の長さが縦方向の長さよりも長い場合、横方向の長さが縦方向の長さよりも長い第１の表示画像データが読み出されて表示され、表示画面の縦方向の長さが横方向の長さよりも長い場合、縦方向の長さが横方向の長さよりも長い第２の表示画像データが読み出されて表示されるので、表示画像が途中で途切れることなくユーザにとって見やすい画面を提供することができる。
【００１７】
請求項５に記載の発明によれば、上記の請求項１から４のいずれかに記載の表示装置を画像形成装置が備え、表示装置には画像形成装置の操作画面が表示されるので、ユーザが表示部に表示される操作画面の表示内容を確認しながらジャム処理を行う場合、画像形成装置の正面にいなくても表示内容を確認することができる。
【００１８】
請求項６に記載の発明によれば、画像形成装置の本体上面の外周部に表示装置が設けられ、第１乃至第４の軸部材によって表示部が９０度以上に回転可能に軸支されているので、ユーザが画像形成装置の本体上面よりも低い位置にいたとしても、ユーザは表示部に表示される表示内容を視認することができる。
【発明を実施するための最良の形態】
【００１９】
以下、本発明の一実施の形態による表示装置について図面を参照しながら説明する。なお、本発明に係る表示装置は、ユーザに対して種々の情報を提示する表示装置を備える全ての電気機器に適用可能であるが、以下の説明では、複写機、プリンタ装置、ファクシミリ装置及び印刷機等の画像形成装置に適用した場合について説明する。
【００２０】
図１は、本発明に係る表示装置が適用される画像形成装置の外観を示す図であり、図２は、図１に示す画像形成装置の操作部を示す図である。
【００２１】
図１に示す画像形成装置１の本体２の前部上面には操作部３が配置されている。図２に示すように、操作部３には、ユーザが印刷実行指示を入力するためのスタートキー３１と、印刷部数等を入力するためのテンキー３２と、各種複写動作の操作ガイド情報等を表示し、これら各種設定入力用にタッチパネル機能を有する液晶ディスプレイ等からなる表示装置１０と、表示装置１０で設定された設定内容等をリセットするリセットキー３３と、印刷動作の停止、読込動作の停止、及び入力数値のクリア等を行うストップ／クリアキー３４と、コピー機能、プリンタ機能、スキャナ機能及びファクシミリ機能を切り換えるための機能切換キー３５とが備えられている。
【００２２】
ここで、本発明に係る表示装置１０について説明する。図３は、本発明に係る表示装置１０を示す平面図であり、図４は、図３に示す表示装置１０を分解した分解斜視図である。
【００２３】
図３及び図４に示す表示装置１０は、画像形成装置１の操作画面を表示する液晶表示部４を支持する表示パネル１１と、表示パネル１１を支持する支持板１２とを備える。
【００２４】
表示パネル１１は、横の長さの方が縦の長さよりも長い長方形状であり、表示パネル１１の一端の短辺側には、第１の軸部材１１１が設けられ、他端の短辺側には、第２の軸部材１１２が設けられている。支持板１２には、第１の軸部材１１１を回転かつ着脱可能に保持する第１の保持部材１２３と、第２の軸部材１１２を回転かつ着脱可能に保持する第２の保持部材１２４とが設けられている。第１の保持部材１２３は、第１の軸部材１１１の一端を保持する保持部材と他端を保持する保持部材との２つの保持部材により構成され、第２の保持部材１２４は、第２の軸部材１１２の一端を保持する保持部材と他端を保持する保持部材との２つの保持部材により構成される。第１の軸部材１１１が第１の保持部材１２３に嵌め込まれ、第２の軸部材１１２が第２の保持部材１２４に嵌め込まれることによって、表示パネル１１が支持板１２に固定される。
【００２５】
また、支持板１２の一端の長辺側には、第３の軸部材１２１が設けられ、他端の長辺側には、第４の軸部材１２２が設けられている。本体２には、第３の軸部材１２１を回転かつ着脱可能に保持する第３の保持部材１３１と、第４の軸部材１２２を回転かつ着脱可能に保持する第４の保持部材１３２とが設けられている。第３の保持部材１３１は、第３の軸部材１２１の一端を保持する保持部材と他端を保持する保持部材との２つの保持部材により構成され、第４の保持部材１３２は、第４の軸部材１２２の一端を保持する保持部材と他端を保持する保持部材との２つの保持部材により構成される。第３の軸部材１２１が第３の保持部材１３１に嵌め込まれ、第４の軸部材１２２が第４の保持部材１３２に嵌め込まれることによって、支持板１２が本体２に固定される。
【００２６】
また、支持板１２の略中心部分には、円形状の孔１２５が形成されており、支持板１２に形成された孔１２５に対応する本体２には、同じく円形状の孔１３３が形成されている。表示パネル１１の裏面の略中央部分から導出された配線１４は、支持板１２に形成された孔１２５を貫通し、孔１２５を貫通した配線１４は、本体２に形成された孔１３３を貫通して本体内部に導かれる。
【００２７】
図５は、本発明に係る表示装置１０の表示パネル１１又は支持板１２を起立させた状態を示す図であり、図５（ａ）は、表示画面を画像形成装置１の前方から見る場合における表示装置１０の支持板１２の起立状態を示す図であり、図５（ｂ）は、表示画面を画像形成装置１の後方から見る場合における表示装置１０の支持板１２の起立状態を示す図であり、図５（ｃ）は、表示画面を画像形成装置１の左方から見る場合における表示装置１０の表示パネル１１の起立状態を示す図であり、図５（ｄ）は、表示画面を画像形成装置１の右方から見る場合における表示装置１０の表示パネル１１の起立状態を示す図である。
【００２８】
図５（ａ）に示すように、ユーザは、画像形成装置１の前方（前面）から表示画面を見る場合、第３の軸部材１２１を第３の保持部材１３１から外し、第４の軸部材１２２を軸に支持板１２を起立させる。第４の保持部材１３２は、第４の軸部材１２２を保持しており、この第４の保持部材１３２による保持力によって、支持板１２を無段階に固定することが可能である。また、本実施形態では、第４の軸部材１２２を回転軸として支持板１２を本体２の上面に対して９０度以上起こすことが可能である。
【００２９】
また、図５（ｂ）に示すように、ユーザは、画像形成装置１の後方（背面）から表示画面を見る場合、第４の軸部材１２２を第４の保持部材１３２から外し、第３の軸部材１２１を軸に支持板１２を起立させる。第３の保持部材１３１は、第３の軸部材１２１を保持しており、この第３の保持部材１３１による保持力によって、支持板１２を無段階に固定することが可能である。また、本実施形態では、第３の軸部材１２１を回転軸として支持板１２を本体２の上面に対して９０度以上起こすことが可能である。
【００３０】
さらに、図５（ｃ）に示すように、ユーザは、画像形成装置１の左方（左面）から表示画面を見る場合、第２の軸部材１１２を第２の保持部材１２４から外し、第１の軸部材１１１を軸に表示パネル１１を起立させる。第１の保持部材１２３は、第１の軸部材１１１を保持しており、この第１の保持部材１２３による保持力によって、表示パネル１１を無段階に固定することが可能である。また、本実施形態では、第１の軸部材１１１を回転軸として表示パネル１１を本体２の上面に対して９０度以上起こすことが可能である。
【００３１】
さらにまた、図５（ｄ）に示すように、ユーザは、画像形成装置１の右方（右面）から表示画面を見る場合、第１の軸部材１１１を第１の保持部材１２３から外し、第２の軸部材１１２を軸に表示パネル１１を起立させる。第２の保持部材１２４は、第２の軸部材１１２を保持しており、この第２の保持部材１２４による保持力によって、表示パネル１１を無段階に固定することが可能である。また、本実施形態では、第２の軸部材１１２を回転軸として表示パネル１１を本体２の上面に対して９０度以上起こすことが可能である。
【００３２】
このように、画像形成装置１の本体２上面の外周部に表示装置１０が設けられ、第１乃至第４の軸部材１１１，１１２，１２１，１２２によって表示パネル１１又は支持板１２が９０度以上に回転可能に軸支されているので、ユーザが画像形成装置１の本体２上面よりも低い位置にいたとしても、表示パネル１１又は支持板１２を９０度以上に起こすことによって、画像形成装置１の上面よりも下方で作業を行いながら、液晶表示部４の表示画面に表示される表示内容を視認することができる。
【００３３】
図６は、本発明に係る表示装置の電気的構成を示す図である。図６に示す表示装置１０は、第１の検知部２１、第２の検知部２２、第３の検知部２３、第４の検知部２４、制御部２５、表示部２６及び記憶部２７を備えて構成される。
【００３４】
第１の検知部２１は、第１の軸部材１１１が第１の保持部材１２３から取り外されたことを検知する。第１の検知部２１は、第１の軸部材１１１が第１の保持部材１２３から取り外されると、検知信号を制御部２５に出力する。第２の検知部２２は、第２の軸部材１１２が第２の保持部材１２４から取り外されたことを検知する。第２の検知部２２は、第２の軸部材１１２が第２の保持部材１２４から取り外されると、検知信号を制御部２５に出力する。第３の検知部２３は、第３の軸部材１２１が第３の保持部材１３１から取り外されたことを検知する。第３の検知部２３は、第３の軸部材１２１が第３の保持部材１３１から取り外されると、検知信号を制御部２５に出力する。第４の検知部２４は、第４の軸部材１２２が第４の保持部材１３２から取り外されたことを検知する。第４の検知部２４は、第４の軸部材１２２が第４の保持部材１３２から取り外されると、検知信号を制御部２５に出力する。
【００３５】
記憶部２７は、例えばＥＥＰＲＯＭ（Electronically Erasable and Programmable Read Only Memory）等で構成され、表示部２６に表示する表示画像に関するデータを記憶しており、第１の表示画像データ記憶部２７１と第２の表示画像データ記憶部２７２とを備えて構成される。第１の表示画像データ記憶部２７１は、表示画面の縦の長さよりも横の長さの方が長い第１の表示画像データを記憶する。第２の表示画像データ記憶部２７２は、第１の表示画像データと同じ内容であり、表示画面の横の長さよりも縦の長さの方が長い第２の表示画像データを記憶する。
【００３６】
制御部２５は、例えばＣＰＵ（中央演算処理装置）等で構成され、画像形成装置全体を制御するものであり、表示制御部２５１を備えて構成される。表示制御部２５１は、第１の検知部２１、第２の検知部２２、第３の検知部２３及び第４の検知部２４の検知結果に応じて表示部２６に表示される表示画像の向きを変更する。
【００３７】
また、表示制御部２５１は、第１の検知部２１、第２の検知部２２、第３の検知部２３及び第４の検知部２４の検知結果に応じて記憶部２７から第１の表示画像データ及び第２の表示画像データのうちのいずれか一方を読み出し、表示部２６に出力する。例えば、第１の軸部材１１１が第１の保持部材１２３から外され、第１の検知部２１から検知信号が入力された場合、表示画面は右方向を向いており、表示画面の横の長さよりも縦の長さの方が長いので、第２の表示画像データ記憶部２７２から第２の表示画像データが読み出され、読み出された第２の表示画像データが表示部２６に出力される。また、第３の軸部材１２１が第３の保持部材１３１から外され、第３の検知部２３から検知信号が入力された場合、表示画面は正面方向を向いており、表示画面の縦の長さよりも横の長さの方が長いので、第１の表示画像データ記憶部２７１から第１の表示画像データが読み出され、読み出された第１の表示画像データが表示部２６に出力される。
【００３８】
表示部２６は、例えば液晶表示部４で構成され、各種複写動作の操作ガイド情報等を表示する。例えば、表示部２６は、画像形成装置１内で紙詰まりが発生した場合、紙詰まりが発生した箇所と、紙詰まりを解消する方法とを表示する。
【００３９】
次に、図６に示す表示装置１０の動作について説明する。図７は、図６に示す表示装置１０の表示処理について説明するためのフローチャートである。
【００４０】
まず、ステップＳ１において、表示制御部２５１は、第１の検知部２１から検知信号が入力されたか否かを判断し、第１の検知部２１から検知信号が入力された場合（ステップＳ１でＹＥＳ）、ステップＳ２に処理を移行し、第１の検知部２１から検知信号が入力されていない場合（ステップＳ１でＮＯ）、ステップＳ６に処理を移行する。
【００４１】
第１の検知部２１から検知信号が入力された場合、ステップＳ２において、表示制御部２５１は、第２の検知部２２、第３の検知部２３及び第４の検知部２４のいずれか１つから検知信号が入力されたか否かを判断し、第２の検知部２２、第３の検知部２３及び第４の検知部２４のいずれか１つから検知信号が入力された場合（ステップＳ２でＹＥＳ）、ステップＳ３に処理を移行し、第２の検知部２２、第３の検知部２３及び第４の検知部２４のいずれか１つから検知信号が入力されていない場合（ステップＳ２でＮＯ）、ステップＳ４に処理を移行する。
【００４２】
第２の検知部２２、第３の検知部２３及び第４の検知部２４のいずれか１つから検知信号が入力された場合、ステップＳ３において、表示制御部２５１は、第１の検知部２１、第２の検知部２２、第３の検知部２３及び第４の検知部２４のうち、複数の軸部材が外されている旨を警告する警告画像を表示部２６に表示し、表示処理を終了する。すなわち、第１の検知部２１、第２の検知部２２、第３の検知部２３及び第４の検知部２４のうち、複数の軸部材が外されている場合、ユーザが画像形成装置１に対してどの方向から表示画面を見ているかを検知することができない。そこで、複数の軸部材が外されている場合、警告画像を表示することにより、複数の軸部材が外されていることをユーザに報知する。
【００４３】
一方、第２の検知部２２、第３の検知部２３及び第４の検知部２４のいずれか１つから検知信号が入力されていない場合、ステップＳ４において、表示制御部２５１は、第２の表示画像データ記憶部２７２から第２の表示画像データを読み出し、読み出した第２の表示画像データを表示部２６に出力する。次に、ステップＳ５において、表示部２６は、第２の表示画像データを表示し、表示処理を終了する。
【００４４】
また、第１の検知部２１から検知信号が入力されていない場合、ステップＳ６において、表示制御部２５１は、第２の検知部２２から検知信号が入力されたか否かを判断し、第２の検知部２２から検知信号が入力された場合（ステップＳ６でＹＥＳ）、ステップＳ７に処理を移行し、第２の検知部２２から検知信号が入力されていない場合（ステップＳ６でＮＯ）、ステップＳ１２に処理を移行する。
【００４５】
第２の検知部２２から検知信号が入力された場合、ステップＳ７において、表示制御部２５１は、第３の検知部２３及び第４の検知部２４のいずれか１つから検知信号が入力されたか否かを判断し、第３の検知部２３及び第４の検知部２４のいずれか１つから検知信号が入力された場合（ステップＳ７でＹＥＳ）、ステップＳ８に処理を移行し、第３の検知部２３及び第４の検知部２４のいずれか１つから検知信号が入力されていない場合（ステップＳ７でＮＯ）、ステップＳ９に処理を移行する。
【００４６】
第３の検知部２３及び第４の検知部２４のいずれか１つから検知信号が入力された場合、ステップＳ８において、表示制御部２５１は、第１の検知部２１、第２の検知部２２、第３の検知部２３及び第４の検知部２４のうち、複数の軸部材が外されている旨を警告する警告画像を表示部２６に表示し、表示処理を終了する。
【００４７】
一方、第３の検知部２３及び第４の検知部２４のいずれか１つから検知信号が入力されていない場合、ステップＳ９において、表示制御部２５１は、第２の表示画像データ記憶部２７２から第２の表示画像データを読み出す。
【００４８】
次に、ステップＳ１０において、表示制御部２５１は、読み出した第２の表示画像を上下反転させ、上下反転させた第２の表示画像データを表示部２６に出力する。すなわち、第２の表示画像は、画像形成装置１の右方向から見た場合に視認できるように表示されるため、画像形成装置１の左方向から見る場合には上下を反転させる必要がある。次に、ステップＳ１１において、表示部２６は、上下反転させた第２の表示画像データを表示し、表示処理を終了する。
【００４９】
また、第２の検知部２２から検知信号が入力されていない場合、ステップＳ１２において、表示制御部２５１は、第３の検知部２３から検知信号が入力されたか否かを判断し、第３の検知部２３から検知信号が入力された場合（ステップＳ１２でＹＥＳ）、ステップＳ１３に処理を移行し、第３の検知部２３から検知信号が入力されていない場合（ステップＳ１２でＮＯ）、ステップＳ１７に処理を移行する。
【００５０】
第３の検知部２３から検知信号が入力された場合、ステップＳ１３において、表示制御部２５１は、第４の検知部２４から検知信号が入力されたか否かを判断し、第４の検知部２４から検知信号が入力された場合（ステップＳ１３でＹＥＳ）、ステップＳ１４に処理を移行し、第４の検知部２４から検知信号が入力されていない場合（ステップＳ１３でＮＯ）、ステップＳ１５に処理を移行する。
【００５１】
第４の検知部２４から検知信号が入力された場合、ステップＳ１４において、表示制御部２５１は、第１の検知部２１、第２の検知部２２、第３の検知部２３及び第４の検知部２４のうち、複数の軸部材が外されている旨を警告する警告画像を表示部２６に表示し、表示処理を終了する。
【００５２】
一方、第４の検知部２４から検知信号が入力されていない場合、ステップＳ１５において、表示制御部２５１は、第１の表示画像データ記憶部２７１から第１の表示画像データを読み出し、読み出した第１の表示画像データを表示部２６に出力する。次に、ステップＳ１６において、表示部２６は、第１の表示画像データを表示し、表示処理を終了する。
【００５３】
また、第３の検知部２３から検知信号が入力されていない場合、ステップＳ１７において、表示制御部２５１は、第４の検知部２４から検知信号が入力されたか否かを判断し、第４の検知部２４から検知信号が入力された場合（ステップＳ１７でＹＥＳ）、ステップＳ１８に処理を移行し、第４の検知部２４から検知信号が入力されていない場合（ステップＳ１７でＮＯ）、ステップＳ１に処理を戻し、再度、第１の検知部２１から検知信号が入力されたか否かを判断する。
【００５４】
第４の検知部２４から検知信号が入力された場合、ステップＳ１８において、表示制御部２５１は、第１の表示画像データ記憶部２７１から第１の表示画像データを読み出す。
【００５５】
次に、ステップＳ１９において、表示制御部２５１は、読み出した第１の表示画像を上下反転させ、上下反転させた第１の表示画像データを表示部２６に出力する。すなわち、第１の表示画像は、画像形成装置１の正面方向から見た場合に視認できるように表示されるため、画像形成装置１の背面方向から見る場合には上下を反転させる必要がある。次に、ステップＳ２０において、表示部２６は、上下反転させた第１の表示画像データを表示し、表示処理を終了する。
【００５６】
このように、第１及び第２の保持部材１２３，１２４とが支持板（支持部材）１２に固定され、支持板１２に、支持板１２を第１及び第２の軸と異なる第３の軸回りに回転可能に軸支する第３の軸部材１２１が設けられ且つ支持板１２を第１乃至第３の軸と異なる第４の軸回りに回転可能に軸支する第４の軸部材１２２が設けられ、第３の軸部材１２１は第３の保持部材１３１により回転かつ着脱可能に保持され、第４の軸部材１２２は第４の保持部材１３２により回転かつ着脱可能に保持される。したがって、第１の軸部材１１１及び第２の軸部材１１２のうちの一方を取り外すとともに、他方を回転軸として液晶表示部４を起立させ、或いは、第３の軸部材１２１及び第４の軸部材１２２のうちの一方を取り外すとともに、他方を回転軸として支持板１２を起立させることによって、液晶表示部４を４方向から視認可能となり、装置の前方だけでなく他の方向からも表示部の表示内容を視認することができる。特に、画像形成装置では、装置の正面だけでなく、装置の側面又は背面において、メンテナンス処理やジャム処理を行う場合がある。この場合、ユーザが存在する方向に表示画面が向くように表示装置１０を回転させることにより、装置の前方だけでなく他の方向からも液晶表示部４の表示内容を視認することができる。
【００５７】
また、第１の検知部２１、第２の検知部２２、第３の検知部２３及び第４の検知部２４の検知結果に応じて液晶表示部４に表示する表示画像の向きが変更されるので、表示画像が上下反転して表示されることなく、ユーザにとって視認可能な向きに表示することができる。
【００５８】
さらに、液晶表示部４を起立させたとき、表示画面の横方向の長さが縦方向の長さよりも長い場合、横方向の長さが縦方向の長さよりも長い第１の表示画像データが読み出されて表示され、表示画面の縦方向の長さが横方向の長さよりも長い場合、縦方向の長さが横方向の長さよりも長い第２の表示画像データが読み出されて表示されるので、表示画像が途中で途切れることなくユーザにとって見やすい画面を提供することができる。
【００５９】
さらにまた、画像形成装置１の本体２の上面の縁部に設けられた表示装置１０の液晶表示部４が９０度以上に回転可能に軸支されているので、ユーザが画像形成装置１の本体上面よりも低い位置にいたとしても、ユーザは表示内容を視認することができる。
【００６０】
なお、表示パネル１１の表示面の縦横の比率が同じである場合（すなわち、表示面が正方形である場合）、記憶部２７は、１つの表示画像データのみを記憶し、第１の検知部２１、第２の検知部２２、第３の検知部２３及び第４の検知部２４からの検知信号に応じて表示画像の向きを変更してもよい。例えば、表示制御部２５１は、第１の検知部２１のみから検知信号が入力された場合、表示画像を左方に９０度回転させた表示画像データを表示部２６に出力し、第２の検知部２２のみから検知信号が入力された場合、表示画像を右方に９０度回転させた表示画像データを表示部２６に出力し、第３の検知部２３のみから検知信号が入力された場合、読み出した表示画像データをそのまま表示部２６に出力し、第４の検知部２４のみから検知信号が入力された場合、表示画像を左方に１８０度回転させた（上下反転させた）表示画像データを表示部２６に出力する。
【００６１】
また、表示パネル１１の表示面の縦横の比率が異なる場合であっても、記憶部２７に１つの表示画像データのみを記憶しておき、第１の検知部２１、第２の検知部２２、第３の検知部２３及び第４の検知部２４からの検知信号に応じて表示画像を縮小してもよい。例えば、表示制御部２５１は、表示面の横の長さの方が縦の長さよりも長い場合、第１の検知部２１及び第２の検知部２２のいずれか一方のみから検知信号が入力されると、読み出した表示画像の横の長さと縦の長さとが同じとなる比率で縮小し、縮小した表示画像データを表示部２６に出力する。
【００６２】
また、本実施形態では、表示制御部２５１は、第１の検知部２１、第２の検知部２２、第３の検知部２３及び第４の検知部２４のうち、複数の検知部から検知信号が入力された場合、複数の軸部材が外されている旨を警告する警告画像を表示部２６に表示するとしているが、本発明は特にこれに限定されず、第１の検知部２１、第２の検知部２２、第３の検知部２３及び第４の検知部２４のうち、複数の検知部から検知信号が入力された場合、第１の表示画像データ記憶部２７１から第１の表示画像データを読み出し、表示部２６に表示してもよい。この場合、ユーザは、表示パネル１１又は支持板１２を画像形成装置１の本体２から取り外して見ることができる。
【００６３】
また、本実施形態では、第１の軸部材１１１、第２の軸部材１１２、第３の軸部材１２１及び第４の軸部材１２２のうちのいずれか１つを保持部材から外して表示パネル１１又は支持板１２を起こすようにしているが、本発明は特にこれに限定されず、表示パネル１１の両端に設けられた第１の軸部材１１１及び第２の軸部材１１２のうちのいずれか一方を取り外して表示パネル１１を起こすとともに、支持板１２の両端に設けられた第３の軸部材１２１及び第４の軸部材１２２のうちのいずれか一方を取り外して支持板１２を起こしてもよい。このように、第１の軸部材１１１及び第２の軸部材１１２のうちの一方を取り外すとともに、他方を回転軸として表示パネル１１を起立させ、第３の軸部材１２１及び第４の軸部材１２２のうちの一方を取り外すとともに、他方を回転軸として支持板１２を起立させるので、表示パネル１１の液晶表示部４を４方向だけでなく装置の周囲のあらゆる方向から視認可能となり、装置の前方だけでなく他の方向からも液晶表示部４の表示内容を視認することができる。
【００６４】
また、本実施形態では、左右両端に第１の軸部材１１１及び第２の軸部材１１２が設けられた表示パネル１１と、上下両端に第３の軸部材１２１及び第４の軸部材１２２が設けられた支持板１２とを備えているが、本発明は特にこれに限定されず、支持板１２を設けずに、第１の軸部材１１１、第２の軸部材１１２、第３の軸部材１２１及び第４の軸部材１２２のうちの少なくとも２つの軸部材を表示パネル１１に設け、第１の保持部材１２３、第２の保持部材１２４、第３の保持部材１３１及び第４の保持部材１３２のうちの少なくとも２つの保持部材を本体２に設けてもよい。
【００６５】
例えば、表示パネル１１に第１の軸部材１１１及び第２の軸部材１１２を設け、第１の軸部材１１１及び第２の軸部材１１２のうちの一方を取り外すとともに、他方を回転軸として表示パネル１１を起立させるので、表示パネル１１の液晶表示部４を２方向から視認可能となり、装置の前方だけでなく他の方向からも液晶表示部４の表示内容を視認することができる。
【００６６】
また、例えば、表示パネル１１の左右両端に第１の軸部材１１１及び第２の軸部材１１２を設けるとともに、上下両端に第３の軸部材１２１及び第４の軸部材１２２を設けた場合、４つの軸部材のうちの３つの軸部材を外し、残りの１つの軸部材を回転軸として表示パネル１１を起立させる。例えば、第１の軸部材１１１を回転軸として表示パネル１１を起立させる場合、表示制御部２５１には、第２の検知部２２、第３の検知部２３及び第４の検知部２４からの検知信号が入力され、第２の表示画像データが読み出される。また、第３の軸部材１２１を回転軸として表示パネル１１を起立させる場合、表示制御部２５１には、第１の検知部２１、第２の検知部２２及び第４の検知部２４からの検知信号が入力され、第１の表示画像データが読み出され、読み出された第１の表示画像を上下反転させる。この場合、第１の軸部材１１１、第２の軸部材１１２、第３の軸部材１２１及び第４の軸部材１２２のうちの３つを取り外すとともに、１つを回転軸として表示パネル１１を起立させるので、表示パネル１１の液晶表示部４を４方向から視認可能となり、装置の前方だけでなく他の方向からも液晶表示部４の表示内容を視認することができる。
【図面の簡単な説明】
【００６７】
【図１】本発明に係る表示装置が適用される画像形成装置の外観を示す図である。
【図２】図１に示す画像形成装置の操作部を示す図である。
【図３】本発明に係る表示装置を示す平面図である。
【図４】図３に示す表示装置を分解した分解斜視図である。
【図５】本発明に係る表示装置の表示パネル又は支持板を起立させた状態を示す図である。
【図６】本発明に係る表示装置の電気的構成を示す図である。
【図７】図６に示す表示装置の表示処理について説明するためのフローチャートである。
【符号の説明】
【００６８】
１    画像形成装置
２    本体
３    操作部
４    液晶表示部
１０    表示装置
１１    表示パネル
１２    支持板
２１    第１の検知部
２２    第２の検知部
２３    第３の検知部
２４    第４の検知部
２５    制御部
２６    表示部
２７    記憶部
１１１    第１の軸部材
１１２    第２の軸部材
１２１    第３の軸部材
１２２    第４の軸部材
１２３    第１の保持部材
１２４    第２の保持部材
１３１    第３の保持部材
１３２    第４の保持部材
２５１    表示制御部
２７１    第１の表示画像データ記憶部
２７２    第２の表示画像データ記憶部
【図１】
2006003678.tif 000003
【図２】
2006003678.tif 000004
【図３】
2006003678.tif 000005
【図４】
2006003678.tif 000006
【図５】
2006003678.tif 000007
【図６】
2006003678.tif 000008
【図７】
2006003678.tif 000009